(57)【要約】【課題】常時接続または待ち受け状態にしておくことなく、ヘッドセットやハンズフリーと接続し、無駄な消費電力を抑えてバッテリ寿命の保護を図ることが可能な携帯電話機を提供する。【解決手段】制御部１３はメール受信部２２でメールを受信した際、メール解析部２３を制御してメールの解析を行う。制御部１３は受信したメールが発信要求メールの場合、受信したメールからハンズフリー装置アドレスを取得し、ローカル無線通信部２０への電源供給を開始する。ローカル無線通信部２０はそのハンズフリー装置と自動でローカル無線通信接続の確立処理を行う。制御部１３はメール解析部２３を制御し、受信したメールから発信したい相手の電話番号を取得し、信号処理部１４及び無線部１２を制御し、発信して回線との接続を行う。【選択図】      図１
2004241947.tif 000002
【特許請求の範囲】
【請求項１】
近距離無線通信方式を実現するためのローカル無線通信機能を含む携帯電話機と、前記携帯電話機の音声入出力を代行しかつ前記ローカル無線通信機能を含む代行機器とからなるハンズフリーシステムであって、前記代行機器からの発信要求メールの受信か否かを検出する検出手段と、前記検出手段で前記発信要求メールの受信を検出した時に前記ローカル無線通信機能を用いて前記代行機器とのローカル無線通信接続を確立する制御手段とを前記携帯電話機に有することを特徴とするハンズフリーシステム。
【請求項２】
前記制御手段は、相手先との回線が接続されている間のみ前記代行機器とのローカル無線通信接続を確立することを特徴とする請求項１記載のハンズフリーシステム。
【請求項３】
前記制御手段は、前記相手先との回線の切断を検出した時に前記代行機器とのローカル無線通信接続を切断することを特徴とする請求項２記載のハンズフリーシステム。
【請求項４】
前記制御手段は、前記検出手段が前記発信要求メールの受信を検出した時に相手先への発信を行うことを特徴とする請求項１から請求項３のいずれか記載のハンズフリーシステム。
【請求項５】
前記携帯電話機は、電子メールにて少なくとも前記ローカル無線通信接続、相手先への発信、自機の動作、ネットワークサービス設定変更のいずれかに必要な情報を受信可能としたことを特徴とする請求項１から請求項４のいずれか記載のハンズフリーシステム。
【請求項６】
前記電子メールにて、前記携帯電話機の動作をリモートコントロールするための情報を受信可能としたことを特徴とする請求項５記載のハンズフリーシステム。
【請求項７】
前記電子メールにて、前記ローカル無線通信接続における接続認証に必要な情報を受信可能としたことを特徴とする請求項５または請求項６記載のハンズフリーシステム。
【請求項８】
前記代行機器の電子メールアドレスと当該代行機器の情報とを関連させて記憶しておくことを特徴とする請求項１から請求項７のいずれか記載のハンズフリーシステム。
【請求項９】
前記検出手段が前記代行機器からの発信要求メールの受信を検出した時に前記ローカル無線通信機能を含みかつ予め登録されているローカル無線通信デバイスに前記ローカル無線通信接続を行うことを特徴とする請求項１から請求項８のいずれか記載のハンズフリーシステム。
【請求項１０】
近距離無線通信方式を実現するためのローカル無線通信機能を含みかつ自機の音声入出力を代行する代行機器に前記ローカル無線通信機能にて接続可能な携帯電話機であって、前記代行機器からの発信要求メールの受信か否かを検出する検出手段と、前記検出手段で前記発信要求メールの受信を検出した時に前記ローカル無線通信機能を用いて前記代行機器とのローカル無線通信接続を確立する制御手段とを有することを特徴とする携帯電話機。
【請求項１１】
前記制御手段は、相手先との回線が接続されている間のみ前記代行機器とのローカル無線通信接続を確立することを特徴とする請求項１０記載の携帯電話機。
【請求項１２】
前記制御手段は、前記相手先との回線の切断を検出した時に前記代行機器とのローカル無線通信接続を切断することを特徴とする請求項１１記載の携帯電話機。
【請求項１３】
前記制御手段は、前記検出手段が前記発信要求メールの受信を検出した時に相手先への発信を行うことを特徴とする請求項１０から請求項１２のいずれか記載の携帯電話機。
【請求項１４】
電子メールにて少なくとも前記ローカル無線通信接続、相手先への発信、自機の動作、ネットワークサービス設定変更のいずれかに必要な情報を受信可能としたことを特徴とする請求項１０から請求項１３のいずれか記載の携帯電話機。
【請求項１５】
前記電子メールにて、自機の動作をリモートコントロールするための情報を受信可能としたことを特徴とする請求項１４記載の携帯電話機。
【請求項１６】
前記電子メールにて、前記ローカル無線通信接続における接続認証に必要な情報を受信可能としたことを特徴とする請求項１４または請求項１５記載の携帯電話機。
【請求項１７】
前記代行機器の電子メールアドレスと当該代行機器の情報とを関連させて記憶しておくことを特徴とする請求項１０から請求項１６のいずれか記載の携帯電話機。
【請求項１８】
前記検出手段が前記代行機器からの発信要求メールの受信を検出した時に前記ローカル無線通信機能を含みかつ予め登録されているローカル無線通信デバイスに前記ローカル無線通信接続を行うことを特徴とする請求項１０から請求項１７のいずれか記載の携帯電話機。
【請求項１９】
近距離無線通信方式を実現するためのローカル無線通信機能を含む携帯電話機と、前記携帯電話機の音声入出力を代行しかつ前記ローカル無線通信機能を含む代行機器とからなるハンズフリーシステムのローカル無線通信接続方法であって、前記携帯電話機側に、前記代行機器からの発信要求メールの受信か否かを検出する第１のステップと、その発信要求メールの受信が検出された時に前記ローカル無線通信機能を用いて前記代行機器とのローカル無線通信接続を確立する第２のステップとを有することを特徴とするローカル無線通信接続方法。
【請求項２０】
相手先との回線が接続されている間のみ前記代行機器とのローカル無線通信接続を確立することを特徴とする請求項１９記載のローカル無線通信接続方法。
【請求項２１】
前記相手先との回線の切断を検出した時に前記代行機器とのローカル無線通信接続を切断することを特徴とする請求項２０記載のローカル無線通信接続方法。
【請求項２２】
前記第１のステップで前記発信要求メールの受信を検出された時に相手先への発信を行うことを特徴とする請求項１９から請求項２１のいずれか記載のローカル無線通信接続方法。
【請求項２３】
前記携帯電話機は、電子メールにて少なくとも前記ローカル無線通信接続、相手先への発信、自機の動作、ネットワークサービス設定変更のいずれかに必要な情報を受信可能としたことを特徴とする請求項１９から請求項２２のいずれか記載のローカル無線通信接続方法。
【請求項２４】
前記電子メールにて、前記携帯電話機の動作をリモートコントロールするための情報を受信可能としたことを特徴とする請求項２３記載のローカル無線通信接続方法。
【請求項２５】
前記電子メールにて、前記ローカル無線通信接続における接続認証に必要な情報を受信可能としたことを特徴とする請求項２３または請求項２４記載のローカル無線通信接続方法。
【請求項２６】
前記代行機器の電子メールアドレスと当該代行機器の情報とを関連させて記憶しておくことを特徴とする請求項１９から請求項２５のいずれか記載のローカル無線通信接続方法。
【請求項２７】
前記第１のステップで前記代行機器からの発信要求メールの受信を検出された時に前記ローカル無線通信機能を含みかつ予め登録されているローカル無線通信デバイスに前記ローカル無線通信接続を行うことを特徴とする請求項１９から請求項２６のいずれか記載のローカル無線通信接続方法。
【請求項２８】
近距離無線通信方式を実現するためのローカル無線通信機能を含む携帯電話機と、前記携帯電話機の音声入出力を代行しかつ前記ローカル無線通信機能を含む代行機器とからなるハンズフリーシステムのローカル無線通信接続方法のプログラムであって、コンピュータに、前記代行機器からの発信要求メールの受信か否かを検出する処理と、その発信要求メールの受信が検出された時に前記ローカル無線通信機能を用いて前記代行機器とのローカル無線通信接続を確立する処理とを実行させるためのプログラム。
【発明の詳細な説明】
【０００１】
【発明の属する技術分野】
本発明はハンズフリーシステム、携帯電話機及びそれに用いるローカル無線通信接続方法並びにそのプログラムに関し、特にローカル無線通信機能を持つ携帯電話機に関する。
【０００２】
【従来の技術】
従来、携帯電話機においては、近距離無線通信を実現するローカル無線通信機能を備えている場合、ローカル無線通信機能付きのヘッドセットやハンズフリーと接続することで、携帯電話機を持たずに通話することが可能である。
【０００３】
つまり、この場合にはローカル無線通信機能によってヘッドセットやハンズフリーから携帯電話機を通して通話することが可能となるため、携帯電話機を持たずに通話することが可能になるのである。
【０００４】
ここで、ローカル無線通信機能としては、例えばＢｌｕｅｔｏｏｔｈ（Ｒ）等の近距離無線通信方式、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ，ＩＥＥＥ８０２．１１ｂ，ＩＥＥＥ８０２．１１ｇ等の無線ＬＡＮ（Ｌｏｃａｌ  Ａｒｅａ  Ｎｅｔｗｏｒｋ）に用いられる無線通信方式等がある。尚、ローカル無線通信機能は近距離間の無線通信であるため、低消費電力であるという特徴をもつ。
【０００５】
上記のローカル無線通信機能付きの携帯電話機の使用方法としては、携帯電話機とヘッドセットやハンズフリーとを常時接続しておく、またはそれらのデバイスからの接続をいつでも受け付けられるように携帯電話機のローカル無線通信機能を常時待ち受け状態にしておくというのが一般的である。
【０００６】
例えば、予めヘッドセットやハンズフリーとの間でのローカル無線通信接続を確立しておき、ユーザがハンズフリーまたはヘッドセットからの発信操作を行うと、ハンズフリーまたはヘッドセットから携帯電話機に発信信号が送出され、それを受け取った携帯電話機が発呼を行い、回線を接続し、ヘッドセットやハンズフリーで通話するという方法が採用されている。
【０００７】
一方、ローカル無線通信機能付きＰＣ（パーソナルコンピュータ）、ＰＤＡ（Ｐｅｒｓｏｎａｌ  Ｄｉｇｉｔａｌ  Ａｓｓｉｓｔａｎｔ）等は、ローカル無線通信機能のついた携帯電話機と接続することで、ダイヤルアップ接続やＦＡＸ接続によってデータの通信が可能である。
【０００８】
その使用方法としては、携帯電話機とヘッドセットやハンズフリー、ＰＣ、ＰＤＡと常時接続しておく、またはそれらのデバイスからの接続をいつでも受け付けられるように携帯電話機のローカル無線通信機能を常時待ち受け状態にしておくというのが一般的である（例えば、特許文献１参照）。
【０００９】
【特許文献１】
特開２００１−１４４７６７号公報（第１１−１２頁、図１４）
【００１０】
【発明が解決しようとする課題】
上述した従来の携帯電話機では、ヘッドセットやハンズフリーで通話する時には、予め接続しておくか、ヘッドセットやハンズフリーから発信するタイミングで、ヘッドセットやハンズフリーから接続するために、携帯電話機を予め待ち受け状態にしておくか、ユーザが携帯電話機を操作して待ち受け状態にする必要がある。
【００１１】
発信や着信がおこるかもしれないと想定される場合には、予めローカル無線通信接続を確立しておく必要があり、通話中以外の時でも、接続を保つ必要があり、発信時にヘッドセットやハンズフリー機器から接続が可能だった場合でも、携帯電話機はローカル無線通信機能を常時待ち受け状態にしておく必要があるため、従来の携帯電話機では、無駄な消費電力が多く、携帯電話機のバッテリ寿命を縮めてしまうという問題がある。
【００１２】
また、従来の携帯電話機では、自動でローカル無線通信を待ち受け状態にすること、または自動でヘッドセットやハンズフリー機器に接続することができないため、ヘッドセットやハンズフリーと接続するために、携帯電話機をユーザが操作をしなくてはならない。
【００１３】
ローカル無線通信接続を用いてハンズフリー装置と接続する利点として、携帯電話機をポケットやカバンにいれたままにしておくことができるということがあげられるが、ローカル無線通信接続を行う際に携帯電話機をポケットやカバンから取出して操作を行うのはとてもわずらわしい。
【００１４】
そこで、本発明の目的は上記の問題点を解消し、常時接続または待ち受け状態にしておくことなく、ヘッドセットやハンズフリーと接続することができ、無駄な消費電力を抑えてバッテリ寿命の保護を図ることができるハンズフリーシステム、携帯電話機及びそれに用いるローカル無線通信接続方法並びにそのプログラムを提供することにある。
【００１５】
【課題を解決するための手段】
本発明によるハンズフリーシステムは、近距離無線通信方式を実現するためのローカル無線通信機能を含む携帯電話機と、前記携帯電話機の音声入出力を代行しかつ前記ローカル無線通信機能を含む代行機器とからなるハンズフリーシステムであって、前記代行機器からの発信要求メールの受信か否かを検出する検出手段と、前記検出手段で前記発信要求メールの受信を検出した時に前記ローカル無線通信機能を用いて前記代行機器とのローカル無線通信接続を確立する制御手段とを前記携帯電話機に備えている。
【００１６】
本発明による携帯電話機は、近距離無線通信方式を実現するためのローカル無線通信機能を含みかつ自機の音声入出力を代行する代行機器に前記ローカル無線通信機能にて接続可能な携帯電話機であって、前記代行機器からの発信要求メールの受信か否かを検出する検出手段と、前記検出手段で前記発信要求メールの受信を検出した時に前記ローカル無線通信機能を用いて前記代行機器とのローカル無線通信接続を確立する制御手段とを備えている。
【００１７】
本発明によるローカル無線通信接続方法は、近距離無線通信方式を実現するためのローカル無線通信機能を含む携帯電話機と、前記携帯電話機の音声入出力を代行しかつ前記ローカル無線通信機能を含む代行機器とからなるハンズフリーシステムのローカル無線通信接続方法であって、前記携帯電話機側に、前記代行機器からの発信要求メールの受信か否かを検出する第１のステップと、その発信要求メールの受信が検出された時に前記ローカル無線通信機能を用いて前記代行機器とのローカル無線通信接続を確立する第２のステップとを備えている。
【００１８】
本発明によるローカル無線通信接続方法のプログラムは、近距離無線通信方式を実現するためのローカル無線通信機能を含む携帯電話機と、前記携帯電話機の音声入出力を代行しかつ前記ローカル無線通信機能を含む代行機器とからなるハンズフリーシステムのローカル無線通信接続方法のプログラムであって、コンピュータに、前記代行機器からの発信要求メールの受信か否かを検出する処理と、その発信要求メールの受信が検出された時に前記ローカル無線通信機能を用いて前記代行機器とのローカル無線通信接続を確立する処理とを実行させている。
【００１９】
すなわち、本発明のハンズフリーシステムは、近距離かつ低消費電力等の特徴を持つローカル無線通信機能を備えた携帯電話機において、ヘッドセットやハンズフリーからの発信要求があった時に、自動でヘッドセットやハンズフリーとの間のローカル無線通信接続を確立し、ヘッドセットやハンズフリーでの通話を可能とするシステムである。
【００２０】
これによって、本発明のハンズフリーシステムは、ローカル無線通信機能を常時接続または常時待ち受け状態にしておく必要がなく、無駄な消費電力を抑え、バッテリの寿命を保護することが可能となる。
【００２１】
また、本発明のハンズフリーシステムでは、携帯電話機の操作を一切しないで、ヘッドセットやハンズフリーとのローカル無線通信を確立し、ローカル無線通信確立時の操作のわずらわしさをなくすことが可能となる。
【００２２】
より具体的に説明すると、本発明のハンズフリーシステムでは、携帯電話機においてヘッドセットやハンズフリーからのメールを受信した際に、制御部がメール解析部を制御してメールの解析を行い、受信したメールが発信要求メールだった場合に、ヘッドセットやハンズフリーの装置アドレスをメールから取得する。
【００２３】
その後に、制御部はローカル無線通信部への電源供給を開始し、ローカル無線通信部がそのヘッドセットやハンズフリーと自動でローカル無線通信接続の確立処理を行う。
【００２４】
続いて、制御部はメール解析部を制御し、受信したメールから発信したい相手の電話番号を取得し、信号処理部や無線部を制御して発信を行うことで、回線が接続される。通話が終了し、回線が切断されると、制御部はローカル無線通信部を制御し、ローカル無線通信を切断し、ローカル無線通信部への電源供給を終了する。
【００２５】
上記のように、本発明のハンズフリーシステムでは、携帯電話機において、制御部がメール解析部、信号処理部、無線部、ローカル無線通信部を制御することによって、ヘッドセットやハンズフリーからの発信要求メールを受信した際に、自動でヘッドセットやハンズフリーと接続することが可能となり、回線を接続し、回線が切断されると、自動的にローカル無線通信接続を切断することが可能となる。
【００２６】
【発明の実施の形態】
次に、本発明の実施例について図面を参照して説明する。図１は本発明の一実施例による携帯電話機の構成を示すブロック図である。図１において、携帯電話機１はアンテナ１１と、無線部１２と、制御部１３と、信号処理部１４と、音声制御部１５と、音声入出力部１６と、表示部１７と、操作部１８と、メモリ１９と、ローカル無線通信部２０と、ローカル無線通信用アンテナ２１と、メール受信部２２と、メール解析部２３とから構成されている。
【００２７】
アンテナ１１は電波の送受信を行い、無線部１２は無線関係の処理を行い、信号処理部１４は受信信号や送信信号を処理する。音声制御部１５は音声の入出力を携帯電話機側とローカル無線通信接続先とを切替え、音声入出力部１６は受信した音声の出力及び音声の入力を行う。
【００２８】
ローカル無線通信部２０はローカル無線通信の電波送受信指示等のローカル無線通信関係の処理を行い、ローカル無線通信用アンテナ２１はローカル無線通信の電波送受信を行う。メール受信部２２はメール受信処理を行い、メール解析部２３は受信したメールの解析を行う。
【００２９】
表示部１７は通話相手の電話番号等を表示し、操作部１８はユーザが電話帳登録や各種設定、機能動作開始指示等を行う際に操作を行う。制御部１３はメモリ１９、メール受信部２２、メール解析部２３、表示部１７、操作部１８、無線部１２、信号処理部１４、音声制御部１５、ローカル無線通信部２０にそれぞれ接続され、それらの制御を行う。メモリ１９は電話帳情報や設定情報、及び制御部１３で実行するプログラム（コンピュータで実行可能なプログラム）を記憶している。
【００３０】
図１において、制御部１３はメール受信部２２でメールを受信した際、メール解析部２３を制御してメールの解析を行う。制御部１３は、受信したメールが発信要求メールの場合、受信したメールからハンズフリー装置アドレスを取得し、ローカル無線通信部２０への電源供給を開始する。ローカル無線通信部２０はそのハンズフリー装置（図示せず）と自動でローカル無線通信接続の確立処理を行う。
【００３１】
次に、制御部１３はメール解析部２３を制御し、受信したメールから発信したい相手の電話番号を取得し、信号処理部１４及び無線部１２を制御し、発信して回線との接続を行う。
【００３２】
制御部１３は発信元との通話が終了して回線が切断されると、ローカル無線通信部２０を制御してローカル無線通信を切断し、ローカル無線通信部２０への電源供給を終了する。
【００３３】
上記のように、本実施例では、制御部１３がメール解析部２３、信号処理部１４、無線部１２、ローカル無線通信部２０をそれぞれ制御することによって、図示せぬハンズフリーシステムからの発信要求メールを受信した際に、自動でハンズフリー装置と回線とを接続し、回線が切断されると、自動的にローカル無線通信接続を切断することが可能となる。
【００３４】
図２は本発明の一実施例によるハンズフリー装置の構成を示すブロック図である。図２において、ハンズフリー装置３はローカル無線通信で携帯電話機１と接続してハンズフリー通話を行うハンズフリー部３１と、通信モジュールを搭載し、その通信モジュールを介してメールを送信するメール送信部３２とから構成されている。また、ハンズフリー部３１とメール送信部３２とは接続されており、連携して動作を行う。
【００３５】
ハンズフリー装置３の実現方法として、例えば、通信カーナビゲーションのように、ハンズフリー部３１とメール送信部３２とを一つの機器のなかで動作させる方法と、ハンズフリー部３１とメール送信部３２とがそれぞれ単独の機器として動作するものを接続して実現する方法とが考えられる。
【００３６】
ここで、ローカル無線通信機能としては、例えばＢｌｕｅｔｏｏｔｈ（Ｒ）等の近距離無線通信方式、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ａ，ＩＥＥＥ８０２．１１ｂ，ＩＥＥＥ８０２．１１ｇ等の無線ＬＡＮ（Ｌｏｃａｌ  Ａｒｅａ  Ｎｅｔｗｏｒｋ）に用いられる無線通信方式等がある。尚、ローカル無線通信機能は近距離間の無線通信であるため、低消費電力であるという特徴をもつ。
【００３７】
図３は図２のハンズフリー装置３の動作を示すフローチャートであり、図４は図１の携帯電話機１の動作を示すフローチャートである。これら図１〜図４を参照して本発明の一実施例によるハンドフリーシステムの動作について説明する。尚、図４に示す処理は制御部１３（例えば、コンピュータ）がメモリ１９のプログラムを実行することで実現される。
【００３８】
まず、本発明の一実施例によるハンズフリー装置３の動作について説明する。ハンズフリー装置３においては、発信要求があると（図３ステップＳ１）、メール送信部３２がハンズフリー部３１のアドレス、発信先電話番号をのせた発信要求メールを携帯電話機１のメールアドレス宛てに送信する（図３ステップＳ２）。
【００３９】
ハンズフリー部３１は携帯電話機１とのローカル無線通信接続を確立し（図３ステップＳ３）、携帯電話機１で回線が接続されると、ハンズフリー装置３において通話が可能となる（図３ステップＳ４）。
【００４０】
次に、本発明の一実施例による携帯電話機１の動作について説明する。携帯電話機１において、制御部１３はメールの受信を検出すると、メール受信部２２がメールの受信処理を行う（図４ステップＳ１１）。制御部１３はメール解析部２３を制御し、受信したメールがハンズフリー装置３からの発信要求メールかどうかを判断する（図４ステップＳ１２）。
【００４１】
制御部１３はハンズフリー装置３からの発信要求メールだった場合、メール解析部２３を制御し、その受信したメールからハンズフリー部３１のアドレス情報を取得する（図４ステップＳ１３）。
【００４２】
制御部１３はローカル無線通信部２０の電源をＯＮ状態とし（図４ステップＳ１４）、取得したアドレスのハンズフリー部３１に対してローカル無線通信接続を確立する（図４ステップＳ１５）。
【００４３】
さらに、制御部１３はメール解析部２３を制御し、受信したメールから電話をかけたい相手の電話番号を取得し（図４ステップＳ１６）、信号処理部１４及び無線部１２を制御し、その番号に対して発信して相手先との回線を接続する（図４ステップＳ１７）。
【００４４】
回線が接続されると、制御部１３は音声制御部１５を制御して音声パスを音声入出力部１６からローカル無線通信部２０への接続に切替え、ハンズフリー装置３にて相手先との通話を可能とする（図４ステップＳ１８）。
【００４５】
制御部１３は相手先との回線が切断されたことを検出すると（図４ステップＳ１９）、ローカル無線通信部２０を制御してハンズフリー装置３とのローカル無線通信接続を切断する（図４ステップＳ２０）。次に、制御部１３はローカル無線通信部２０の電源をＯＦＦにする（図４ステップＳ２１）。
【００４６】
図５は本発明の一実施例によるハンズフリー装置３からの発信要求メールの一例を示す図である。これら図１〜図５を参照して本発明の一実施例によるハンズフリーシステムの動作について具体的に説明する。
【００４７】
本実施例では、例えば電話をかけたい相手の電話番号を“０３−１１１１−１１１１”、ハンズフリー部３１のアドレスを“ＡＢＣＤ”、携帯電話機１のメールアドレスを“ｈａｎａｋｏ＠ｘｘｘ．ｘｘｘ．ｘｘｘ”とする。また、件名が「ハンズフリー発信要求」だった場合には、発信要求メールと判断するものとする（図５参照）。
【００４８】
ハンズフリー装置３はユーザ操作や緊急事態を検知しての発信要求があった際に（図３ステップＳ１）、メール送信部３２からハンズフリー部３１のアドレス情報“ＡＢＣＤ”と発信先電話番号情報“０３−１１１１−１１１１”とをメールにのせて、件名を「ハンズフリー発信要求」とし、ｈａｎａｋｏ＠ｘｘｘ．ｘｘｘ．ｘｘｘ宛てにメールを送信する（図３ステップＳ２）。
【００４９】
ハンズフリー部３１は携帯電話機１とのローカル無線通信接続を確立し（図３ステップＳ３）、携帯電話機１で相手先との回線が接続されると、ハンズフリー装置３にて通話を行う（図３ステップＳ４）。
【００５０】
携帯電話機１において、制御部１３はメールの受信を検出すると、メール受信部２２にてメールの受信処理を行う（図４ステップＳ１１）。制御部１３はメール解析部２３を制御し、受信したメールがハンズフリー装置３からの発信要求メールかどうかを判断する（図４ステップＳ１２）。受信する発信要求メールの一例を図５に示す。
【００５１】
制御部１３は件名が「ハンズフリー発信要求」だった場合、ハンズフリー装置３からの発信要求メールと判断し、メール解析部２３を制御してその受信したメールからハンズフリー部３１のアドレス情報である“ＡＢＣＤ”を取得する（図４ステップＳ１３）。制御部１３はローカル無線通信部２０の電源をＯＮ状態にし（図４ステップＳ１４）、アドレスが“ＡＢＣＤ”のハンズフリー部３１とのローカル無線通信接続を確立する（図４ステップＳ１５）。
【００５２】
さらに、制御部１３はメール解析部２３を制御し、受信したメールから発信先電話番号である“０３−１１１１−１１１１”を取得し（図４ステップＳ１６）、信号処理部１４及び無線部１２を制御し、電話番号が“０３−１１１１−１１１１”の相手先に対して発信し、相手先からの応答があると、相手先との回線が接続される（図４ステップＳ１７）。
【００５３】
制御部１３は相手先との回線が接続されると、音声制御部１５を制御して音声パスを音声入出力部１６からローカル無線通信部２０への接続に切替え、ハンズフリー装置３にて通話を可能とする（図４ステップＳ１８）。
【００５４】
制御部１３は相手先との通話が終了し、相手先との回線が切断されたことを検出すると（図４ステップＳ１９）、ローカル無線通信部２０を制御してハンズフリー装置３とのローカル無線通信接続を切断する（図４ステップＳ２０）。次に、制御部１３はローカル無線通信部２０の電源をＯＦＦにする（図４ステップＳ２１）。
【００５５】
このように、本実施例では、ハンズフリー装置３からの発信要求メールを受信すると、自動でローカル無線通信部２０の電源をＯＮにし、ハンズフリー装置３とのローカル無線通信接続を確立し、相手先との回線切断を検出すると、自動でハンズフリー装置３とのローカル無線通信接続を切断し、ローカル無線通信部２０の電源をＯＦＦにすることで、通話を行う時のみハンズフリー装置３との接続を確立することによって、常時接続または待ち受け状態にしておく必要がなく、無駄な消費電力を抑え、バッテリの保護を図ることができる。
【００５６】
また、本実施例では、ハンズフリー装置３からの発信要求メールを受信すると、そのメールにあるローカル無線通信装置（ハンズフリー部３１）との間のローカル無線通信接続を自動で確立することで、ローカル無線通信接続を行う際に、携帯電話機１の操作をなくすことができる。
【００５７】
さらに、本実施例では、ハンズフリー装置３からの発信要求メールを受信すると、そのメールにある制御情報（ハンズフリー部３１のアドレス情報や発信先の電話番号）を基に携帯電話機１が動作することで、ローカル無線通信接続に限らず、メールを用いて携帯電話機１の動作を制御することができる。
【００５８】
次に、本発明の一実施例の応用例とその効果について説明する。上述した本発明の一実施例では、ローカル無線接続確立後、電話番号を取得し、発信するという方法をとっているが、先に電話番号の取得、発信処理を行い、通話相手呼び出し中にハンズフリー装置３とのローカル無線通信接続の確立処理を行うという方法も考えられる。これによって、メールを受信してから通話状態になるまでの時間を短縮することができる。
【００５９】
また、上述した本発明の一実施例では、電話をかけたい相手の電話番号をハンズフリー装置３がメールにのせて携帯電話機へ送信し、携帯電話機１がメールを解析して電話番号を取得するという方法をとっている。
【００６０】
ハンズフリーを用いて通話する時、発信する電話番号をメモリ１９に予め設定しておき、制御部１３が発信要求メールを受信した際に、メモリ１９から発信する電話番号を取得するという方法も考えられる。また、発信する電話番号を複数設定しておき、時間帯や曜日、ユーザからのモード変更指定等によって、発信する電話番号を変更することも可能である。これによって、発信要求メールの情報量を減らすことができる。
【００６１】
例えば、メモリ１９に、「モード＃１」として「動作時―電話番号＃１」、「モード＃２」として「動作時―日曜日に電話番号＃２、それ以外の曜日に電話番号＃３」がそれぞれ設定されているものとする。この場合、携帯電話機１が発信要求メールを受信した時、「モード＃２」での動作が指示されていて、メール受信日が日曜日だった場合、制御部１３はメモリ１９から「電話番号＃２」を取得する。
【００６２】
メールに電話番号そのものではなく、通話相手に関する情報（電話帳登録番号や電話帳登録名称等）をメールにて送信すると、そのメールを受信した携帯電話機１の制御部１３はその情報を基にメモリ１９に登録されている電話帳から検索して電話番号を取得するという方法も考えられる。これによって、ハンズフリー装置３に電話番号を記憶しておく必要がなく、ハンズフリー装置３側の機能の簡略化を図ることができる。
【００６３】
また、通常、携帯電話機１の機能である電話帳登録番号や電話帳登録名称を指定して、電話帳から電話番号を呼び出し、発信するという操作がハンズフリー装置３から行うことが可能になる。
【００６４】
例えば、メモリ１９の電話帳に、「メモリ番号：１００、名称：自宅、電話番号：ＸＸ−ＸＸＸ−ＸＸＸＸＸ」が登録されているものとする。この場合、受信したメールに通話相手情報として「名称：自宅」とあった場合、制御部１３はメモリ１９を検索し、「電話番号：ＸＸ−ＸＸＸ−ＸＸＸＸＸ」を取得する。
【００６５】
ローカル無線通信接続後にハンズフリー部３１からその接続されたローカル無線通信を用いて、電話番号や通話相手に関する情報（電話帳登録番号や電話帳登録名称等）を携帯電話機１に通知するという方法もある。ハンズフリー部３１から送信された制御信号を受信すると、ローカル無線部２０は制御部１３に通知する。制御部１３はこの信号を解析し、電話番号や通話相手に関する情報を取出し、メモリ１９を検索して電話番号を取得する。これによって、発信要求メールの情報量を減らすことができる。
【００６６】
例えば、メモリ１９の電話帳に、「メモリ番号：１００、名称：自宅、電話番号：ＸＸ−ＸＸＸ−ＸＸＸＸＸ」が登録されているものとする。ローカル無線通信接続後に、ハンズフリー装置３から「メモリ番号：１００」信号を携帯電話機１に送信すると、制御部１３はメモリ１９から「メモリ番号：１００」に対応する「電話番号：ＸＸ−ＸＸＸ−ＸＸＸＸＸ」を取得する。
【００６７】
上述した本発明の一実施例では、接続するハンズフリー部３１のアドレスをハンズフリー装置３が発信要求メールにのせて携帯電話機１へ送信すると、携帯電話機１はメールを解析して接続するハンズフリー部３１の情報を取得するという方法をとっている。
【００６８】
接続するハンズフリー部３１をメモリ１９に予め登録しておき、接続するハンズフリー部３１の情報をメモリ１９から取得するということもできる。これによって、発信要求メールの情報量を減らすことができる。また、接続するハンズフリー部３１の情報を複数設定しておき、時間帯や曜日、ユーザからのモード変更指定等によって、使用する時に応じて、接続先を変更することも可能である。
【００６９】
メールアドレスとハンズフリー装置３との情報を関連付けてメモリ１９に登録しておくことによって、発信要求メールの情報量を減らすことができる。制御部１３は発信元メールアドレスを基にメモリ１９を検索して接続するハンズフリー装置３の情報を取得する。
【００７０】
ハンズフリー装置３の情報としてアドレスだけでなく、ローカル無線通信接続確立する時に認証手続きが必要だった場合には、認証に必要なパスワードをメールにのせてハンズフリー装置３から携帯電話機１に通知することもできる。これによって、予めハンズフリー装置３の情報やパスワードの登録をしておかなくても、セキュリティを確保した接続を確立することができる。ハンズフリー装置３の情報として、アドレスや認証に必要はパスワードだけでなく、その他の情報要素を含めることも可能である。
【００７１】
上記の実施例では、ハンズフリー装置３から携帯電話機１への発信要求メールの情報として、「発信する電話番号」、「接続するハンズフリー装置の情報」だけであるが、ネットワークサービスの設定変更や携帯電話機１の設定変更を行う制御情報をのせて、ネットワークサービスの設定変更、携帯電話機１の設定変更を自動で行うという方法も考えられる。
【００７２】
携帯電話機１の制御部１３はメール解析部２３を制御して受信メールを解析する。ネットワークサービスの設定変更情報が含まれていたら、制御部１３は信号処理部１４及び無線部１２を制御し、ネットワークに接続してネットワークサービスの設定を変更する。
【００７３】
携帯電話機１の動作指定や設定変更を行う制御情報が含まれていたら、制御部１３はメモリ１９に登録されている設定情報を読出し、それにしたがって接続動作や設定の書き換えを行う。これによって、携帯電話機１の動作をリモートでコントロールすることが可能となる。予め携帯電話機１の動作モード等を変更しなくても、接続要求が起きた状況、ローカル無線通信接続相手に合わせて動作の指定が可能となる。
【００７４】
例えば、受信した発信要求メールに「ネットワークサービスのキャッチホン通知ＯＦＦ」に変更という情報が含まれていたら、ネットワークに接続してキャッチホン通知サービスをＯＦＦにする。携帯電話機１の動作モードが“モード＃１ローカル無線通信接続方法：携帯電話機１からハンズフリー装置３へ接続”、“モード＃２：ハンズフリー装置３からの接続を待つ”という二つのモードが用意され、これらの情報がメモリ１９に登録されていて、受信した発信要求メールに「モード＃２にて動作」という指定があった場合、制御部１３はメモリ１９からモード＃２の動作を読出し、ハンズフリー装置３からの接続を待つという指示にしたがって動作する。
【００７５】
尚、上述した本発明の一実施例やその応用例では、携帯電話機１とハンズフリー装置３との間の接続について述べたが、携帯電話機１のほかにローカル無線通信機能及び電話機能［例えば、ＩＰ（Ｉｎｔｅｒｎｅｔ  Ｐｒｏｔｏｃｏｌ）電話機能等］が付いたＰＣ（パーソナルコンピュータ）やＰＤＡ（Ｐｅｒｓｏｎａｌ  Ｄｉｇｉｔａｌ  Ａｓｓｉｓｔａｎｔ）等でも、またハンズフリー装置３の代わりにヘッドセット等の通話（音声の入出力）を携帯電話機１の代わり代行する機器でも適用可能である。
【００７６】
【発明の効果】
以上説明したように本発明は、上記のような構成及び動作とすることで、常時接続または待ち受け状態にしておくことなく、ヘッドセットやハンズフリーと接続することができ、無駄な消費電力を抑えてバッテリ寿命の保護を図ることができるという効果が得られる。
【図面の簡単な説明】
【図１】本発明の一実施例による携帯電話機の構成を示すブロック図である。
【図２】本発明の一実施例によるハンズフリー装置の構成を示すブロック図である。
【図３】図２のハンズフリー装置の動作を示すフローチャートである。
【図４】図１の携帯電話機の動作を示すフローチャートである。
【図５】本発明の一実施例によるハンズフリー装置３からの発信要求メールの一例を示す図である。
【符号の説明】
１  携帯電話機
３  ハンズフリー装置
１１  アンテナ
１２  無線部
１３  制御部
１４  信号処理部
１５  音声制御部
１６  音声入出力部
１７  表示部
１８  操作部
１９  メモリ
２０  ローカル無線通信部
２１  ローカル無線通信用アンテナ
２２  メール受信部
２３  メール解析部
３１  ハンズフリー部
３２  メール送信部
【図１】
2004241947.tif 000003
【図２】
2004241947.tif 000004
【図３】
2004241947.tif 000005
【図４】
2004241947.tif 000006
【図５】
2004241947.tif 000007